(57)【要約】【課題】深い鉢を使用することなく、室内に設置したときには草木があたかも床面から直接自生しているかのような新規且つ斬新な景観を与えることができ、しかも高木も安定した自立状態に保持することができる盆栽装置を提供する。【解決手段】草木１の放射状の根２を結束するための結束具１５および該放射状の根からさらに生長した根３が通過することを許容する多数の孔１１を有するベース１２と、ベースを収容する皿状の容器１３と、該草木の放射状の根および結束具を覆い隠すに十分な厚さに容器内に敷き詰められる養土１４とを備えた盆栽装置１０であり、ベースの孔に通した結束具により草木の放射状の根をベースに固定して該草木を安定した自立状態に保持し、該放射状の根からさらに生長した根がベースの孔を通って下方に延長するにつれて該草木の自立状態をさらに安定化させる。ベースを複数層にして用いても良い。【選択図】図１
0003133166.tif 000002
【実用新案登録請求の範囲】
【請求項１】
草木の放射状の根を結束するための結束具および該放射状の根からさらに生長した根が通過することを許容する多数の孔を有するベースと、ベースを収容する皿状の容器と、該草木の放射状の根および結束具を覆い隠すに十分な厚さに容器内に敷き詰められる養土とを備え、ベースの孔に通した結束具により前記草木の放射状の根をベースに固定して該草木を安定した自立状態に保持し、該放射状の根からさらに生長した根がベースの孔を通って下方に延長するにつれて該草木の自立状態をさらに安定化させるようにしたことを特徴とする盆栽装置。
【請求項２】
前記ベースが複数層からなり、その最上層のベースの孔に前記結束具を通すことにより前記草木の放射状の根がベースに固定され、その後生長した根が下層のベースの孔を通って伸びていくことにより複数のベースを一体化すると共に草木の自立状態をさらに安定化させることを特徴とする、請求項１記載の盆栽装置。
【請求項３】
前記ベースの周縁部が所要高さまで立ち上がって前記皿状の容器を兼ねていることを特徴とする、請求項１または２記載の盆栽装置。
【考案の詳細な説明】
【技術分野】
【０００１】
この考案は盆栽装置に関し、より詳しくは、比較的薄いものであっても高さ１ｍを越えるような高木も安定した自立状態に保持することができ、オフィスなどの室内空間やビルの屋上あるいは店舗や玄関アプローチなど任意の場所で里山の景色や清涼感などを楽しむことができる盆栽装置に関する。
【背景技術】
【０００２】
自然の野山の景観を室内で再現して楽しむものとして古くから盆栽が広く普及している。
【考案の開示】
【考案が解決しようとする課題】
【０００３】
従来の盆栽は比較的背の低い草木を鉢植えしたものが多い。高木の場合は深い鉢を使用しなければならなかった。
【０００４】
この考案は、深い鉢を使用することなく、室内に設置したときには草木があたかも床面から直接自生しているかのような新規且つ斬新な景観を与えることができ、しかも高木も安定した自立状態に保持することができる盆栽装置を提供することを課題とする。
【課題を解決するための手段】
【０００５】
この課題を解決するため、この考案は、草木の放射状の根を結束するための結束具および該放射状の根からさらに生長した根が通過することを許容する多数の孔を有するベースと、ベースを収容する皿状の容器と、該草木の放射状の根および結束具を覆い隠すに十分な厚さに容器内に敷き詰められる養土とを備え、ベースの孔に通した結束具により前記草木の放射状の根をベースに固定して該草木を安定した自立状態に保持し、該放射状の根からさらに生長した根がベースの孔を通って下方に延長するにつれて該草木の自立状態をさらに安定化させるようにしたことを特徴とする盆栽装置である。
【０００６】
前記ベースには、多数の孔が形成された金属製・木製・プラスチック製・ゴム製・コンクリートなどの板状ないしシート状のものや、金属などのメッシュ状のもの、繊維を粗く交絡させた織布または不織布などを用いることができる。ベースを複数層にして容器に収容固定しても良い。この場合、同一素材・構成のベースを複数枚用いても良いし、異なる素材・構成のベースを任意に組み合わせて複数層のベースとしても良い。多孔コンクリート板などをベースに用いた場合には、草木を安定して自立させる効果が大きくなり、高さ３〜４ｍにも及ぶような高木であっても安定した自立状態に保持することができる。
【０００７】
結束具には、棒状や細帯状などの針金、電源コードや配線コードなどの結束用に用いられるプラスチック製の結束バンド、ゴムバンド、ひもなどを用いることができる。
【０００８】
養土は草木の生育に必要な水や栄養を与えるために必要であり、容器内に充填されることにより根とベースとの間やさらにはベースの下方にも入り込む。さらに、この考案においては、草木の放射状の根をベースに固定するために用いられる結束具を隠蔽する目的をも有する。養土としては、赤玉土、腐葉土、軽石、パーライト、バーミキュライト、ビートモスなどを草木の種類や環境に応じて任意に選択して、一種または混合して用いることができる。
【０００９】
この考案による盆栽装置に用いる草木はその種類が限定されるものではないが、雑木類、マツ類、観葉植物などが好適である。
【考案の効果】
【００１０】
この考案の盆栽装置によれば、深い鉢を使用することなく、室内に設置したときには草木があたかも床面から直接自生しているかのような新規且つ斬新な景観を与えることができる。したがって、オフィスなどの室内に設置して里山の景色や清涼感などを楽しむことができ、ビジネス環境を改善し、ストレスを軽減させることができる。また、ビルの屋上緑化に用いることができる。あるいは、店舗や玄関アプローチなどの屋外で使用することもできる。
【００１１】
また、草木から放射状に伸びた根を結束具でベースに固定することによって初期状態においても安定した自立状態を得ることができ、しかも、その後さらに生長した根がベースの孔を通って下方に延長するにつれて該草木の自立状態をさらに安定化させるように働くので、高さ３〜４ｍあるいはそれ以上の高さの高木であっても倒れることがない。
【００１２】
ベースを複数層にして用いた場合、草木の放射状の根は結束具を介して最表層のベースに対して固定されるが、根の生長につれてその下方に位置するベースの孔を通って下方に延長していくので、複数層のベースを一体化させる効果が得られる。
【考案を実施するための最良の形態】
【００１３】
この考案による盆栽装置について図１を参照して説明する。この盆栽装置１０は、多数の孔１１が形成されたベース１２と、ベース１２が収容される皿状の容器１３と、容器１３内に敷き詰められる養土１４とを有し、草木１を立設した状態に保持して里山風の景観を楽しむものである。なお、図１では厚さが誇張的に示されているが、実際には容器１３の厚さは数ｃｍ〜１０ｃｍ程度である。
【００１４】
草木１は所要の長さおよび太さに放射状に伸びた根２を有しており、この放射状の根２を針金などの結束具１５でベース１２に固定する。すなわち、草木１をベース１２上に置いて放射状の根２をベース１２上に沿わせて放射状に延長させた状態とし、この根１２の近くに位置する２つの孔１１，１１に結束具１５を通して根１２の上方で結束具１５の両端を捩るなどして根２をベース１２に固定する。
【００１５】
草木１の根２が結束具１５でベースに固定できるようになるためにはある程度の長さおよび太さに生長する必要があるので、別の鉢植えなどで所要の長さおよび太さまで生育させた後に該鉢から取り外し、土を落として根２を完全に露出させた状態で、この盆栽装置１０に植え替えることが好ましい。
【００１６】
このようにして草木１の放射状の根２を結束具１５でベース１２に固定した状態を上から見たときの概略が図２に示されている。図２に示されるように、放射状の根２を結束具１５でベース１２に固定するに際しては、一本の根２を一箇所で固定しても良く、また、その根元と先端近くなどのように複数箇所で固定しても良い。さらには、必ずしもすべての放射状の根２を固定しなくても良い。草木１を安定した自立状態に保持することができれば、その具体的な固定箇所や固定本数などは問われない。
【００１７】
また、図１および図２には一本の草木１のみが示されているが、通常の場合は複数本の草木１が用いられ、同様にして結束具１５でベース１２に固定されて自立状態に保持される。複数本の草木１を用いる場合、同一樹種であっても異なる樹種であっても良く、これらを適宜配置する。
【００１８】
ベース１２は皿状の容器１３に収容されるが、図１の構成では、容器１３の周壁立ち上がり部の内面側に凹部１６が形成され、この凹部１６にベース１２の周縁部を挿入することによってベース１２を容器１３内に実質的に不動に固定している。ベース１２の固定手法についてはこれに限定されることなく任意の手法を採用することができ、たとえばボルトをベース１２の周縁部に貫通させて、容器１３の底部に埋め込んだアンカーに締着することによって固定しても良い。あるいは、ベース１２を容器１３に対して固定することなく単に容器１３内に載置収容する構成であっても良い。
【００１９】
養土１４は結束具１５を覆い隠すに十分な深さまで容器１３内に充填される。容器１３内に充填された養土１４は、根２の下方さらにはベース１２の下方にまで入り込み、草木の生育に必要な水や栄養を与えると同時に、草木１の自立状態を支える役割を果たす。
【００２０】
図１の盆栽装置１０を作製するには、容器１３の底に薄く養土１４を敷き詰めた後、別の鉢植えなどで放射状の根２を所要の長さおよび太さまで生育させた草木１を該鉢から取り外し、土を落として根２を完全に露出させた状態で、既述のようにして結束具１５にて根２をベース１２に固定して草木１を自立可能としたものを、容器１３に収容し、その上から養土１４を結束具１５が隠れる深さまで充填する。
【００２１】
図１は草木１をベース１２に固定した初期の状態を示すが、その後、放射状の根２からさらに生長した根がベース１２の孔１１を通って下方に向けて縦横に延長していく。したがって、草木１の自立状態はより一層安定したものとなり、１０ｃｍ程度の薄い全体厚でありながら、高さ１ｍを越えるような高木であっても倒れずに保持することができる。このような盆栽装置を室内に設置すると、あたかも床面から自生しているかのような印象を与える。
【００２２】
図３はこの考案の別の実施形態による盆栽装置２０を示す。この盆栽装置２０が図１の盆栽装置１０と異なる点は、ベース１２を複数層１２ａ，１２ｂ，１２ｃの積層体として用いていることである。図１の盆栽装置１０と同一または同等部分には同一の符号を付してある。ベース１２ａ，１２ｂ，１２ｃはボルトなどにより一体的な構造体としても良いが、後述するように根の生長によって一体化が促進されるので、互いの間に養土１４が入り込む隙間を与えた状態にして単に重ね合わせて容器１３内に収容しても良い。
【００２３】
草木１の放射状の根２は、最表層のベース１２ａの孔１１ａに結束具１５を通して固定される。この固定手法については図１について既述したと同様であるので、説明を省略する。
【００２４】
図３には、ベース１２ａに固定された草木１が当初の状態から生長して、放射状の根２からさらに細い根３が伸びていき、ベース１２ａの孔１１ａ、ベース１２ｂの孔１１ｂ、ベース１２ｃの孔１１ｃを通って根を張り巡らせた状態が示されている。このようにして根３がベース１２ａ，１２ｂ，１２ｃを通って伸びていくことによりこれら複数層のベース１２ａ，１２ｂ，１２ｃを強固に一体化させ、且つ、草木１の自立状態をより安定化させる。各ベース１２ａ，１２ｂ，１２ｃは数ｍｍ程度の厚さであるので、複数層にして用いても全体厚がそれほど大きくなることはない。
【００２５】
なお、図３では３層のベース１２ａ，１２ｂ，１２ｃが示されているが、自立させる草木１の高さなどに応じて任意の層数のベースを用いることができることは言うまでもない。また、複数層からなるベース１２は、同一の単層ベースを複数枚用いたものであっても、異なる単層ベースを任意に組み合わせたものであっても良い。また、図３では３層のベース１２ａ，１２ｂ，１２ｃの孔１１ａ，１１ｂ，１１ｃが整列した状態に示されているが、これは必須の条件ではない。
【００２６】
以上にこの考案の実施形態による盆栽装置について説明したが、この考案は上記実施形態に限定されるものではなく、実用新案登録請求の範囲によって定められる範囲内において様々に変更して実施することができる。一例として、上記実施形態では多孔ベースを容器に収容した構成が採用されているが、多孔ベース自体を容器として用いてこれらを兼用するものとしても良い。たとえば、図１のベース１２の周縁部を所要高さまで立ち上げて皿状の容器を兼ねたものとし、容器１３を省略した構成とすることができる。このような構成の盆栽装置は、屋外で使用する場合に特に好適である。
【図面の簡単な説明】
【００２７】
【図１】この考案による盆栽装置の一実施形態を示す部分断面図である。
【図２】この盆栽装置において草木の放射状の根を結束具でベースに固定した状態の図である。
【図３】この考案による盆栽装置の別の実施形態を示す部分断面図である。
【符号の説明】
【００２８】
１  草木
２  放射状の根
３  生長した根
１０  盆栽装置
１１，１１ａ，１１ｂ，１１ｃ  孔
１２，１２ａ，１２ｂ，１２ｃ  ベース
１３  皿状の容器
１４  養土
１５  結束具
１６  凹部
【図１】
0003133166.tif 000003
【図２】
0003133166.tif 000004
【図３】
0003133166.tif 000005